(57)【要約】【課題】ユーザが容易に洗濯物に好みの香りを付与することができる洗濯機を提供する。【解決手段】外箱と水槽と回転槽と給水手段と水槽へ仕上げ剤を投入する投入手段と給水手段及び投入手段を制御する制御手段と、を備える。制御手段は、水槽に水を貯留して撹拌することで洗濯物のすすぎを行うすすぎ工程及び回転槽を高速回転させて洗濯物を脱水する脱水工程について、予め設定された内容ですすぎ工程及び脱水工程を行う標準仕様と、すすぎ工程において投入手段により水槽へ仕上げ剤を投入してすすぎを行う最終すすぎ工程を標準仕様よりも長時間行う香り付け仕様と、を選択的に実行可能である。【選択図】図７
2014212886.tif 000002
【特許請求の範囲】
【請求項１】
外箱と、
前記外箱内に設けられた水槽と、
前記水槽内に回転可能に設けられ洗濯物が収容される回転槽と、
外部の水源に接続されて前記水源からの水を前記水槽へ供給する給水手段と、
前記水槽へ仕上げ剤を投入する投入手段と、
前記給水手段による給水時期及び前記投入手段による仕上げ剤の投入時期を制御する制御手段と、を備え、
前記制御手段は、前記水槽に水を貯留して撹拌することで前記洗濯物のすすぎを行うすすぎ工程及び前記回転槽を高速回転させて前記洗濯物を脱水する脱水工程について、予め設定された内容で前記すすぎ工程及び前記脱水工程を行う標準仕様と、前記すすぎ工程において前記投入手段により前記水槽へ前記仕上げ剤を投入してすすぎを行う最終すすぎ工程を前記標準仕様よりも長時間行う香り付け仕様と、を選択的に実行可能である洗濯機。
【請求項２】
前記最終すすぎ工程における水位は、前記標準仕様に比べて前記香り付け仕様の方が低水位である請求項１に記載の洗濯機。
【請求項３】
前記最終すすぎ工程後の前記脱水工程において、前記回転槽の回転速度は、前記標準仕様に比べて前記香り付け仕様の方が低速である請求項１又は２に記載の洗濯機。
【請求項４】
前記最終すすぎ工程後の前記脱水工程において、当該脱水工程の時間は、前記標準仕様に比べて前記香り付け仕様の方が短時間である請求項１から３のいずれか一項に記載の洗濯機。
【請求項５】
前記最終すすぎ工程において、前記投入手段による前記仕上げ剤の前記水槽への投入は、前記標準仕様に比べて前記香り付け仕様の方が低水位から行われる請求項１から４のいずれか一項に記載の洗濯機。
【請求項６】
前記最終すすぎ工程前の前記脱水工程において、前記回転槽の回転速度は、前記標準仕様に比べて前記香り付け仕様の方が高速である請求項１から５のいずれか一項に記載の洗濯機。
【請求項７】
前記最終すすぎ工程前の前記脱水工程において、当該脱水工程の時間は、前記標準仕様に比べて前記香り付け仕様の方が長時間である請求項１から６のいずれか一項に記載の洗濯機。
【請求項８】
前記槽内に収容された洗濯物を、前記最終すすぎ工程以前に加温する加温手段をさらに備える請求項１から７のいずれか一項に記載の洗濯機。
【請求項９】
前記最終すすぎ工程における撹拌時間は、前記標準仕様に比べて前記香り付け仕様の方が短時間である請求項１から８のいずれか一項に記載の洗濯機。
【請求項１０】
前記最終すすぎ工程における前記回転槽の回転速度は、前記標準仕様に比べて前記香り付け仕様の方が低速である請求項１から９のいずれか一項に記載の洗濯機。
【請求項１１】
前記標準仕様で洗い工程とすすぎ工程と脱水工程と行う標準コースと、前記香り付け仕様で洗い工程とすすぎ工程と脱水工程とを行う香り付けコースと、を備える請求項１から１０のいずれか一項に記載の洗濯機。
【請求項１２】
前記香り付け仕様は２以上のレベルを有し、当該レベルを変更する変更手段を備えている請求項１から１１のいずれか一項に記載の洗濯機。
【請求項１３】
前記香り付け仕様で運転した後に、前記水槽、前記回転槽、又は前記投入手段の少なくともいずれか一つの洗浄を行う洗浄手段を備えている請求項１から１２のいずれか一項に記載の洗濯機。
【発明の詳細な説明】
【技術分野】
【０００１】
本発明の実施形態は洗濯機に関する。
【背景技術】
【０００２】
従来、洗濯機においては、仕上げ剤の柔軟作用を高める運転を行うものが提案されている。一方で、仕上げ剤は、近年その機能が多様化してきており、柔軟作用のみならず香り付けを重視するものも多くある。そして、このような香りを重視した仕上げ剤を用いて、洗濯物に好みの香りを付けたいというニーズがあるが、従来の洗濯機においては、香り付けを重視した運転を行うという発想はなかった。
【先行技術文献】
【特許文献】
【０００３】
【特許文献１】特開平６−２６９５９２号公報
【発明の概要】
【発明が解決しようとする課題】
【０００４】
そこで、ユーザが容易に洗濯物に好みの香りを付与することができる洗濯機を提供する。
【課題を解決するための手段】
【０００５】
洗濯機は、外箱と、前記外箱内に設けられた水槽と、前記水槽内に回転可能に設けられ洗濯物が収容される回転槽と、外部の水源に接続されて前記水源からの水を前記水槽へ供給する給水手段と、前記水槽へ仕上げ剤を投入する投入手段と、前記給水手段による給水時期及び前記投入手段による仕上げ剤の投入時期を制御する制御手段と、を備える。前記制御手段は、前記水槽に水を貯留して撹拌することで前記洗濯物のすすぎを行うすすぎ工程及び前記回転槽を高速回転させて前記洗濯物を脱水する脱水工程について、予め設定された内容で前記すすぎ工程及び前記脱水工程を行う標準仕様と、前記すすぎ工程において前記投入手段により前記水槽へ前記仕上げ剤を投入してすすぎを行う最終すすぎ工程を前記標準仕様よりも長時間行う香り付け仕様と、を選択的に実行可能である。
【図面の簡単な説明】
【０００６】
【図１】第１実施形態による洗濯機を右前方から見た形態で示す斜視図
【図２】洗濯機の内部の概略構成を示す縦断面図
【図３】電気的構成を示すブロック図
【図４】給水投入装置の概略構成を示す図
【図５】操作パネルの構成を示す図
【図６】標準仕様による標準コース及び香り付け仕様による香り付けコースにおける各工程の設定内容を設定水位毎に示す図
【図７】自動運転の制御内容を示すフローチャート
【図８】標準仕様による標準コース運転の制御内容を示すフローチャート
【図９】香り付け仕様による香り付けコース運転の制御内容を示すフローチャート
【図１０】第２実施形態による図５相当図
【図１１】図６相当図
【図１２】図７相当図
【図１３】香り付け仕様による自動運転の制御内容を示すフローチャート
【図１４】第３実施形態による図２相当図
【図１５】図３相当図
【図１６】投入装置を示す斜視図
【図１７】投入装置における仕上げ剤の移動を（ａ）〜（ｄ）の順に経時的に示す投入装置の平面図
【図１８】第４実施形態による図７相当図
【図１９】図１２相当図
【図２０】図２相当図
【図２１】図３相当図
【図２２】洗浄工程の制御内容を示すフローチャート
【発明を実施するための形態】
【０００７】
以下、複数の実施形態による洗濯機について、図面を参照して説明する。なお、各実施形態において実質的に同一の構成部位には同一の符号を付し、説明を省略する。
【０００８】
（第１実施形態）
図１に示すように、洗濯乾燥機１０は、外箱１１、トップカバー１２、操作パネル１３、蓋１４、バックカバー１５、及び図３に示す制御装置１６を備えている。なお、洗濯乾燥機１０の前後方向は、操作パネル１３側を前側とし、バックカバー１５側を後側とする。また、洗濯乾燥機１０の左右方向は、図１の紙面右手前側を右側とし、図１の紙面左奥側を左側とする。
【０００９】
外箱１１は、直方体状であり、洗濯乾燥機１０の外殻を形成している。トップカバー１２は、外箱１１の上部に設けられている。トップカバー１２は、全体として矩形の枠状に形成され、中央部に図示しない洗濯物出入口を有している。また、トップカバー１２は、図２にも示すように、後側内部に空間となる収容室１２１を有している。外箱１１及びトップカバー１２は、洗濯乾燥機１０の筐体を構成している。
【００１０】
操作パネル１３は、トップカバー１２の前辺部に設けられている。操作パネル１３は、図３に示す制御装置１６に電気的に接続されており、ユーザから設定内容が入力されるとともに、その設定内容や現在の運転状況を表示する。蓋１４は、トップカバー１２の上側に設けられ、トップカバー１２の後縁部を支点に二つ折れ式に開閉可能に構成されている。蓋１４は、図示しないトップカバー１２の洗濯物出入口を開閉する。バックカバー１５は、トップカバー１２の後部に設けられている。バックカバー１５には、排気カバー１７が設けられている。排気カバー１７は、排気カバー１７の内側と外側とを連通する複数の排出口１７１を有している。
【００１１】
洗濯乾燥機１０は、図２に示すように、回転槽１８、水槽１９、撹拌体２０、駆動装置２１、弾性支持装置２２、排水装置２３、及び給水投入装置３０を備えている。回転槽１８は、底部を有し上側が開放された筒状であって、回転可能に構成されている。回転槽１８の回転中心軸の軸方向は重力方向と平行である。すなわち、洗濯乾燥機１０は、いわゆる縦軸型の洗濯機である。
【００１２】
回転槽１８は、水槽１９の内側に設けられている。回転槽１８は、複数の孔１８１及び複数の突部１８２を有している。孔１８１は、回転槽１８の筒状となる周側壁部を板厚方向に貫いて形成されている。洗濯物を脱水するとき、洗濯物から分離された水は、孔１８１を経由して回転槽１８の外部へ排出される。突部１８２は、回転槽１８の筒状となる周側壁部を内側へ突出させて形成されている。突部１８２は、回転槽１８の内側面から洗濯物を引き剥がし、回転槽１８の内側面に洗濯物が張り付くことを抑制する。また、回転槽１８の上部には回転バランサ１８３が設けられている。回転バランサ１８３は、液体が封入されており、回転槽１８の安定を図っている。
【００１３】
水槽１９は、水槽部１９１と水槽カバー１９２とを有している。水槽部１９１は、底部を有し上側が開放された筒状に構成されている。水槽カバー１９２は、水槽部１９１の上部に設けられている。水槽カバー１９２は、中央部に図示しない開口が形成されている。洗濯物は、水槽カバー１９２に形成された図示しない開口を通して回転槽１８内へ投入される。この開口は、水槽カバー１９２に設けられた図示しない内蓋によって開閉される。
【００１４】
撹拌体２０は、回転槽１８内側の底部にあって、回転槽１８に対して相対的に回転可能に設けられている。撹拌体２０の回転軸と回転槽１８の回転軸とは一致している。駆動装置２１は、モータ２１１及びクラッチ２１２を有している。モータ２１１は、水槽部１９１の底部の裏側に設けられ、図３に示すように制御装置１６に電気的に接続されている。モータ２１１は、アウターロータ形のブラシレスＤＣモータである。クラッチ２１２は、モータ２１１と回転槽１８との間に設けられ、モータ２１１と、回転槽１８及び撹拌体２０とを接続している。クラッチ２１２は、撹拌体２０のみが回転する形態と、撹拌体２０と回転槽１８とが一体的に回転する形態とを選択的に切り替える。
【００１５】
弾性支持装置２２は、吊り棒２２１、支持部２２２、およびコイルばねなどの弾性部材２２３から構成され、水槽１９を揺動可能に弾性支持している。これにより、弾性支持装置２２は、水槽１９を縦軸の姿勢に維持しつつ、水槽１９に生じた振動が外箱１１へ伝達することを低減する。
【００１６】
排水装置２３は、電子制御式の排水弁２３１及び排水ホース２３２などを有している。排水弁２３１は、図３に示すように、制御装置１６に電気的に接続されており、制御装置１６からの制御を受けて開閉される。排水弁２３１は、入水側が水槽部１９１の底部に設けられた排水口１９５に接続され、出水側が排水ホース２３２に接続されている。排水弁２３１が閉鎖されると、水槽１９は貯水可能となる。一方、排水弁２３１が開放されると、水槽１９に貯留された水は、排水口１９５を通り排水弁２３１及び排水ホース２３２を経由して洗濯乾燥機１０の外部へ排出される。
【００１７】
給水投入装置３０は、図２及び図４に示すように、ケース３１、注水ホース３２、給水ホース接続部３３、電子制御式の第１給水弁３４、及び電子制御式の第２給水弁３５などを有している。注水ホース３２は、ケース３１と水槽１９とを接続している。給水ホース接続部３３は、バックカバー１５を貫いて、バックカバー１５の外部に露出している。給水ホース接続部３３は、図示しない給水ホースを介して、水道の蛇口など外部の水源へ接続される。第１給水弁３４及び第２給水弁３５は、図３に示すように、制御装置１６に電気的に接続されており、制御装置１６からの制御を受けて開閉される。
【００１８】
ケース３１の内部は、図４に示すように、洗剤収容部３１１と仕上げ剤収容部３１２に仕切られている。洗剤収容部３１１には、洗剤が収容され、仕上げ剤収容部３１２には、仕上げ剤が収容される。第１給水弁３４の吐出口３４１は、洗剤収容部３１１へ繋がっている。第２給水弁３５の吐出側は、二つに吐出口３５１、３５２に分岐している。そして、一方の吐出口３５１は、洗剤収容部３１１へ繋がり、他方の吐出口３５２は、仕上げ剤収容部３１２へ繋がっている。
【００１９】
洗剤を水槽１９へ投入する場合、第１給水弁３４が開放される。すると、外部の水源からの水は、第１給水弁３４を通って洗剤収容部３１１へ供給される。そして、洗剤収容部３１１内に収容された洗剤を溶かして、水槽１９へ給水される。一方、仕上げ剤を水槽１９へ投入する場合、第１給水弁３４及び第２給水弁３５が開放される。すると、第１給水弁３４から吐出された水、及び第２給水弁３５の一方の吐出口３５１から吐出された水が、洗剤収容部３１１を経由して水槽１９へ供給される。また、第２給水弁３５の他方の吐出口３５２から吐出された水が、仕上げ剤収容部３１２を経由して仕上げ剤を溶かし、その後、サイフォンの原理により水槽１９へ供給される。
【００２０】
制御装置１６は、第１給水弁３４の開閉の時期を制御することで、水槽１９内への給水時期を制御し、第２給水弁３５の開閉の時期を制御することで、水槽１９内への仕上げ剤の投入時期を制御する。この場合、給水投入装置３０は、水源からの水を水槽１９内へ給水する給水手段として機能するとともに、仕上げ剤を水槽１９内へ投入する投入手段として機能する。また、制御装置１６は、給水投入装置３０による給水時期及び仕上げ剤の投入時期を制御する制御手段として機能する。
【００２１】
洗濯乾燥機１０は、図２に示すように、循環風路４０を備えている。循環風路４０は、水槽１９の外側において、水槽カバー１９２に設けられた出口１９３と入口１９４とを繋いでいる。乾燥運転の際、水槽１９内の空気は、出口１９３から循環風路４０内へ排出され、循環風路４０内で温風化されて入口１９４から水槽１９内へ戻される。この場合、循環風路４０は、乾燥運転の際に温風を生成し供給する温風供給装置５０を主体とし、吸気ダクト４１、フィルタ装置４２、及び供給ダクト４３を有して構成されている。
【００２２】
吸気ダクト４１は、図２に示すように、例えば蛇腹状のホースで構成されており、水槽１９の出口１９３とフィルタ装置４２とを接続している。フィルタ装置４２は、水槽１９の上方に設けられ、温風供給装置５０の下側に接続されている。フィルタ装置４２は、乾燥運転の際に水槽１９内の衣類などの洗濯物から出たリントを捕集する。また、フィルタ装置４２には、詳細は図示しないが、循環風路４０の外部に連通する外気取り入れ口が形成されている。この外気取り入れ口からは、外気この場合外箱１１の内側の空気が循環風路４０内へ取り込まれる。供給ダクト４３は、例えば蛇腹状のホースで構成されており、水槽１９の入口１９４と温風供給装置５０とを接続している。
【００２３】
温風供給装置５０は、ヒータ５１、送風機５２、ダンパ５３、及びファンケーシング５４を有している。ヒータ５１、送風機５２、及びダンパ５３は、ファンケーシング５４内に設けられており、図３に示すように、制御装置１６に電気的に接続されている。ヒータ５１及び送風機５２を駆動させると、ヒータ５１で加熱された空気は、送風機５２の送風作用によって水槽１９内へ供給される。その後、水槽１９内へ供給された温風は、回転槽１８内の洗濯物を加熱し、再び水槽１９の出口１９３から循環風路４０内へ吸い込まれる。このように、温風供給装置５０は、回転槽１８及び水槽１９内の空気を循環させながら加熱し、回転槽１８内の洗濯物の乾燥を進行させる。また、ダンパ５３は、乾燥運転中に適宜駆動され、ファンケーシング５４に設けられた排気口５４１から排出される。排気口５４１から排出された空気は、消音装置４４で消音され、排出口１７１から洗濯乾燥機１０の外部へ排出される。
【００２４】
洗濯乾燥機１０は、図３に示すように、水位センサ２５、温度センサ２６、及び回転センサ２７を備えている。水位センサ２５は、水槽１９内の水位を検出するものである。温度センサ２６は、水槽１９内の温度を検出するものである。回転センサ２７は、モータ２１１の回転数を検出するものである。これら水位センサ２５、温度センサ２６、及び回転センサ２７は、制御装置１６に電気的に接続されている。制御装置１６は、水位センサ２５、温度センサ２６、及び回転センサ２７の検出結果に基づいて、各種運転の制御を行う。
【００２５】
洗濯乾燥機１０は、「洗い」、「すすぎ」、「脱水」、「乾燥」の各工程を選択的に組み合わせた自動運転が実行可能である。洗濯乾燥機１０は、自動運転として、主に洗い工程を行う洗濯運転と、主に洗い工程及び乾燥工程を行う洗乾運転と、主に乾燥工程を行う乾燥運転と、を備えている。図５に示すように、ユーザは、操作パネル１３に設けられた「洗濯」キー６１１、「洗乾」キー６１２、「乾燥」キー６１３を操作することによって、所望の自動運転を選択する。この場合、「洗濯」キー６１１が操作されると洗濯運転が選択され、「洗乾」キー６１２が操作されると洗乾運転が選択され、「乾燥」キー６１３が操作されると乾燥運転が選択される。
【００２６】
各自動運転には、それぞれ複数のコースが設定されている。コースは、選択された自動運転の内容の範囲内において、「洗い」、「すすぎ」、「脱水」、「乾燥」の各工程の組み合わせ及び時間を、メーカーが推奨する内容又はユーザの任意に変更するためのものである。ユーザは、コース表示部６２に表示された各コースの中から、所望のコースを選択する。例えば本実施形態において、「洗濯」運転には、「標準」コース及び「香り付け」コース、その他複数種類のコースが設定されている。
【００２７】
次に、「標準」コース及び「香り付け」コースについて説明する。
「標準」コース及び「香り付け」コースは、図６に示す各設定内容に基づいて、各工程を行うものである。この場合、洗濯物の重量に応じて、「大重量」、「中重量」、「小重量」の三段階、すなわち、すすぎ水位でみると「高」、「中」、「低」の三段階が設定されている。「標準」コースは、洗濯運転の各工程についてメーカーが推奨する標準的な洗濯運転を実現するものである。「標準」コースでは、図６に示すように、各工程における詳細な設定値、例えば、すすぎ水位や仕上げ剤投入水位、すすぎ時間などが、標準仕様として標準的な設定内容に設定されている。一方、「香り付け」コースは、仕上げ剤による香り付け作用を向上させるための運転を実現するものである。「香り付け」コースでは、各工程における詳細な設定値が、標準仕様の設定値を基準にして、香り付け仕様として設定されている。
【００２８】
具体的な制御内容について、図７〜図９も参照して説明する。ここでは、洗濯運転について、「標準」コース又は「香り付け」コースのいずれか一方が選択される場合について説明する。ユーザは、図５に示す操作パネル１３の「入」キー６３を操作することにより、洗濯乾燥機１０に電源を投入する（電源入り）。そして、ユーザは、操作パネル１３を操作することによって、各種運転やコース内容、すなわち「標準」コース又は「香り付け」コースを設定する。
【００２９】
洗濯運転では、洗い工程、すすぎ工程、及び脱水工程が、それぞれ１回以上行われる。この場合、複数回行われるすすぎ工程のうち、最後に行われるすすぎ工程を最終すすぎ工程と称する。この最終すすぎ工程において、制御装置１６は、給水投入装置３０を制御することにより、ケース３１の仕上げ剤収容部３１２に収容された仕上げ剤を水槽１９内へ投入し、その後、洗濯物のすすぎを行う。また、複数回行われる脱水工程のうち、最後に行われる脱水工程を最終脱水工程と称する。そして、複数回行われる脱水工程のうち、最終すすぎ工程の直前に行われる脱水工程を最終すすぎ前脱水工程と称する。
【００３０】
図７に示すように、制御装置１６は、電源が投入されると（電源入り）、「スタート」キー６４が操作されるまで待機する（ステップＳ１１でＮＯ）。ユーザは、「洗濯」キー６１１を操作して洗濯運転の「標準」コース又は「香り付け」コースを選択し、その後、「スタート」キー６４を操作する。制御装置１６は、「スタート」キー６４が操作されると（ステップＳ１１でＹＥＳ）、ステップＳ１２へ移行し、洗濯物の重量を検出する。洗濯物の重量の検出は、例えば次のようにして行われる。すなわち、制御装置１６は、モータ２１１を駆動させて回転槽１８を回転させる。そして、制御装置１６は、回転槽１８内の洗濯物の負荷量に応じて変化するモータ２１１の電流や回転速度等を検出することで、回転槽１８内の洗濯物の重量を検出する。
【００３１】
次に、制御装置１６は、ステップＳ１３において、ステップＳ１２で検出した洗濯物重量が、図６に示す「大重量」、「中重量」、「小重量」の三段階のいずれかに該当するかを判断し、これにより、すすぎ工程におけるすすぎ水位等を設定する。この場合、図６に示すように、制御装置１６は、洗濯物重量が大重量である場合はすすぎ水位をＷｈ［Ｌ］とし、中重量である場合はすすぎ水位をＷｍ［Ｌ］とし、小重量である場合はＷｌ［Ｌ］とする。なお、Ｗｈ、Ｗｍ、Ｗｌは、それぞれ洗濯乾燥機１０の機種に応じて設定された具体的な数値であって、これらの関係は、Ｗｈ＞Ｗｍ＞Ｗｌである。
【００３２】
その後、制御装置１６は、ステップＳ１４へ移行し、排水弁２３１を閉じるとともに、第１給水弁３４を開いて、水槽１９内へ給水を行う。外部の水源からの水は、第１給水弁３４から、ケース３１の洗剤収容部３１１を経由して水槽１９内へ供給される。このとき、ケース３１の洗剤収容部３１１に収容された洗剤は、第１給水弁３４から吐出された水に溶かされて、水槽１９内へ投入される。
【００３３】
次に、制御装置１６は、ステップＳ１５へ移行し、洗い工程を実行する。洗い工程において、制御装置１６は、駆動装置２１を制御して、回転槽１８と撹拌体２０とを低速で相対的に回転させる。これにより、水槽１９内に水流を生じさせ、回転槽１８内の洗濯物を撹拌することで洗い工程を行う。
制御装置１６は、洗い工程を終了すると、ステップＳ１６へ移行し、排水弁２３１を開放して、水槽１９内に貯留された洗濯水を排水する。その後、制御装置１６は、ステップＳ１７へ移行し、第１脱水工程を実行する。第１脱水工程において、制御装置１６は、回転槽１８と撹拌体２０とを一体的に高速で回転させ、洗濯物の脱水を行う。
【００３４】
次に、制御装置１６は、ステップＳ１８へ移行し、第１すすぎ工程を実行する。制御装置１６は、第１すすぎ工程を実行すると、排水弁２３１を閉じるとともに、第１給水弁３４を開いて、水槽１９内へ給水を行う。そして、制御装置１６は、水槽１９内の水が所定のすすぎ水位に達すると、駆動装置２１を制御して、回転槽１８と撹拌体２０とを低速で相対的に回転させる。これにより、回転槽１８内の洗濯物を撹拌することで、洗濯物のすすぎを行う。
【００３５】
このステップＳ１８の第１すすぎ工程における、すすぎ水位、すすぎ時間、及び撹拌時間は、図６に示す標準コースの最終すすぎ工程における、すすぎ水位、すすぎ時間、及び撹拌時間と同一の値に設定されている。この場合、図６に示す撹拌時間とは、例えば１０″／１′であれば、１分間中に１０秒間、回転槽１８を連続又は間欠的に回転せることを意味する。なお、Ｔｈ、Ｔｍ、Ｔｌ［ｓｅｃ］は、それぞれ洗濯乾燥機１０の機種に応じて設定された具体的な数値であって、これらの関係は、Ｔｈ＞Ｔｍ＞Ｔｌである。その後、制御装置１６は、ステップＳ１９へ移行し、排水弁２３１を開放して水槽１９内に貯留された洗濯水を排水する。
【００３６】
次に、制御装置１６は、ステップＳ２０へ移行し、現在実行している自動運転、この場合、現在実行している洗濯運転について「香り付け」コースが選択されているか否かを判断する。制御装置１６は、「香り付け」コースが選択されていない場合は（ステップＳ２０でＮＯ）、「標準」コースが選択されていると判断し、ステップＳ２１へ移行する。
【００３７】
ステップＳ２１へ移行すると、制御装置１６は、図８の標準コース運転（標準仕様）へ移行し、図６に示す「標準仕様」の設定内容に基づいて、その後の各工程を実行する。具体的には、制御装置１６は、ステップＳ３０において、自動運転について設定された設定水位が、「高」、「中」、「低」のいずれであるかを判断する。制御装置１６は、設定水位が「高」である場合、図６の標準仕様における「高（大重量）」の各設定内容に基づいて、図８のステップＳ３１１〜ステップＳ３１４を実行する。また、制御装置１６は、設定水位が「中」である場合、図６の標準仕様における「中（中重量）」の各設定内容に基づいて、図８のステップＳ３２１〜ステップＳ３２４を実行する。そして、制御装置１６は、設定水位が「低」である場合、図６の標準仕様における「低（小重量）」の各設定内容に基づいて、図８のステップＳ３３１〜ステップＳ３３４を実行する。
【００３８】
ここで、設定水位が「高」、「中」、「低」のいずれの場合であっても、基本的な動作は同一である。そのため、各設定水位における各工程を並行して説明するとともに、各設定水位において説明が共通する場合は、ステップ番号Ｓを、例えばステップＳ３Ｘ１のように共通にして示す。この場合、設定水位が「高」であればＸ＝１となり、設定水位が「中」であればＸ＝２となり、設定水位が「低」であればＸ＝３となる。
【００３９】
制御装置１６は、ステップＳ３０において設定水位を判断すると、ステップＳ３Ｘ１へ移行し、最終すすぎ前脱水工程を実行する。制御装置１６は、他の脱水工程と同様に、回転槽１８と撹拌体２０とを一体的に高速で回転させ、洗濯物の脱水を行う。この場合、設定水位が「高」、「中」、「低」のいずれの場合も、回転槽１８の回転速度すなわち脱水回転速度は９００［ｒｐｍ］である。また、脱水時間は、設定水位「高」（ステップＳ３１１）の場合に８′００″、設定水位「中」（ステップＳ３１２）の場合に６′３０″、設定水位「低」（ステップＳ３１３）の場合に５′００″である。
【００４０】
次に、制御装置１６は、ステップＳ３Ｘ２へ移行し、最終すすぎ工程を実行する。最終すすぎ工程において、制御装置１６は、まず、排水弁２３１を閉鎖するとともに、第１給水弁３４を開放する。これにより、水槽１９内へ水が供給され、水槽１９内にすすぎ水が貯留される。
【００４１】
その後、制御装置１６は、水位センサ２５により水槽１９内の水位が仕上げ剤投入水位に達したことを検出すると、さらに第２給水弁３５を開放する。これにより、ケース３１の仕上げ剤収容部３１２に配置された仕上げ剤を、水槽１９内へ投入する。この仕上げ剤投入水位は、設定水位「高」（ステップＳ３１２）の場合にＷｈ−５［Ｌ］、設定水位「中」（ステップＳ３２２）の場合にＷｍ−５［Ｌ］、設定水位「低」（ステップＳ３３２）の場合にＷｌ−５［Ｌ］である。
【００４２】
その後、水槽１９内の水がすすぎ水位に達すると、制御装置１６は、他のすすぎ工程と同様に、回転槽１８と撹拌体２０とを低速で相対的に回転させ、回転槽１８内の洗濯物を撹拌する。これにより洗濯物のすすぎが行われる。この場合、設定水位が「高」、「中」、「低」のいずれの場合も、回転槽１８の脱水回転速度は６０［ｒｐｍ］である。また、すすぎ水位は、設定水位「高」（ステップＳ３１２）の場合にＷｈ［Ｌ］、設定水位「中」（ステップＳ３２２）の場合にＷｍ［Ｌ］、設定水位「低」（ステップＳ３３２）の場合にＷｌ［Ｌ］である。
【００４３】
また、すすぎ時間は、設定水位「高」（ステップＳ３１２）の場合にＴｈ［ｓ］、設定水位「中」（ステップＳ３２２）の場合にＴｍ［ｓ］、設定水位「低」（ステップＳ３３２）の場合にＴｌ［ｓ］である。そして、撹拌時間は、設定水位「高」（ステップＳ３１２）の場合に１０″／１′、設定水位「中」（ステップＳ３２２）の場合に８″／１′、設定水位「低」（ステップＳ３３２）の場合に６″／１′である。
【００４４】
最終すすぎ工程が終了すると、制御装置１６は、ステップＳ３Ｘ３へ移行し、排水弁２３１を開放して、水槽１９内のすすぎ水を排水する。その後、制御装置１６は、ステップＳ３Ｘ４へ移行し、最終脱水工程を実行する。最終脱水工程において、制御装置１６は、最終すすぎ前と同様の設定値で脱水工程を行う。すなわち、脱水回転速度は、設定水位が「高」、「中」、「低」のいずれの場合も９００［ｒｐｍ］である。また、脱水時間は、設定水位「高」（ステップＳ３１４）の場合に８′００″、設定水位「中」（ステップＳ３２４）の場合に６′３０″、設定水位「低」（ステップＳ３３４）の場合に５′００″である。そして、制御装置１６は、最終脱水工程が終了すると（図８のリターン）、洗濯運転を終了する（図７の終了）。
【００４５】
一方、洗濯運転について「香り付け」コースが選択されている場合（図７のステップＳ２０でＹＥＳ）、制御装置１６は、ステップＳ２２へ移行する。ステップＳ２２へ移行すると、制御装置１６は、図９に示す香り付けコース運転（香り付け仕様）へ移行し、図６に示す香り付け仕様の設定内容に基づいて、その後の各工程を実行する。この香り付けコース運転は、図８に示す標準コース運転の各工程が図６に示す香り付け仕様で実行される点、及びステップＳ４Ｘ２において温風供給工程が追加されている点で、標準コース運転と異なる。
【００４６】
なお、標準コース運転と同様に、この香り付けコース運転も、設定水位が、「高」、「中」、「低」のいずれの場合であっても、各工程の基本的な動作は同一である。
制御装置１６は、ステップＳ４０において設定水位を判断すると、ステップＳ４Ｘ１へ移行し、図８のステップＳ３Ｘ１と同様に、最終すすぎ前脱水工程を実行する。この最終すすぎ前脱水工程において、制御装置１６は、標準仕様の場合に比べて、回転槽１８の回転速度を高速にする。この場合、最終すすぎ工程の脱水回転速度は、標準仕様の場合には９００［ｒｐｍ］であるのに対し、香り付け仕様の場合には１０００［ｒｐｍ］である。
【００４７】
また、この最終すすぎ前脱水工程において、制御装置１６は、標準仕様の場合に比べて、設定水位に応じて脱水時間を長時間にする。この場合、標準仕様における最終すすぎ工程の脱水時間は、設定水位「高」（ステップＳ３１１）の場合に８′００″、設定水位「中」（ステップＳ３２１）の場合に６′３０″、設定水位「低」（ステップＳ３３１）の場合に５′００″である。一方、香り付け仕様における最終すすぎ工程の脱水時間は、設定水位「高」（ステップＳ４１１）の場合に９′００″、設定水位「中」（ステップＳ４２１）の場合に７′３０″、設定水位「低」（ステップＳ４３１）の場合に５′３０″である。
【００４８】
次に、制御装置１６は、ステップＳ４Ｘ２へ移行し、温風供給工程を実行する。温風供給工程を実行すると、制御装置１６は、温風供給装置５０を駆動させ、回転槽１８及び水槽１９内へ温風を供給する。これにより、回転槽１８内の洗濯物は加温される。この場合、温風供給工程の時間は、設定水位「高」（ステップＳ４１２）の場合に１０′００″、設定水位「中」（ステップＳ４２２）の場合に８′００″、設定水位「低」（ステップＳ４３２）の場合に６′００″である。この場合、温風供給装置５０は、最終すすぎ工程以前に、回転槽１８内の洗濯物を加温する加温手段として機能する。
【００４９】
次に、制御装置１６は、ステップＳ４Ｘ３へ移行し、最終すすぎ工程を実行する。この場合、制御装置１６は、給水投入装置３０による仕上げ剤の水槽１９内への投入を、標準仕様の場合に比べて低水位から行う。すなわち、香り付け仕様における最終すすぎ工程の仕上げ剤投入水位は、標準仕様の場合に比べて低水位としている。この場合、仕上げ剤投入水位は、設定水位に応じて設定されており、設定水位「高」（ステップＳ４１３）の場合にＷｈ−２０［Ｌ］、設定水位「中」（ステップＳ４２３）の場合にＷｍ−１５［Ｌ］である。また、設定水位「低」（ステップＳ４３３）の場合には、給水と同時に仕上げ剤の投入を行う（ステップＳ４３３）。
【００５０】
また、制御装置１６は、すすぎ水位、すすぎ時間、すすぎ回転速度、撹拌時間も、標準仕様に対し、設定水位に応じて変更する。この場合、図６に示すように、標準仕様に比べて、すすぎ水位を低くし、すすぎ時間を長くし、すすぎ回転速度を低速にするとともに、撹拌時間を短くする。すなわち、香り付け仕様において、最終すすぎ工程のすすぎ水位は、設定水位「高」（ステップＳ４１３）の場合にＷｈ−１０［Ｌ］、設定水位「中」（ステップＳ４２３）の場合にＷｍ−７［Ｌ］、設定水位「低」（ステップＳ４３３）の場合にＷｌ−５［Ｌ］である。
【００５１】
また、香り付け仕様において、最終すすぎ工程のすすぎ時間は、設定水位「高」（ステップＳ４１３）の場合にＴｈ＋１０′００″、設定水位「中」（ステップＳ４２３）の場合にＴｍ＋５′００″、設定水位「低」（ステップＳ４３３）の場合にＴｌ＋３′００″である。また、香り付け仕様において、最終すすぎ工程の回転速度は、設定水位「高」（ステップＳ４１３）、「中」（ステップＳ４２３）、「低」（ステップＳ４３３）において４０［ｒｐｍ］である。そして、香り付け仕様において、最終すすぎ工程の撹拌時間は、設定水位「高」（ステップＳ４１３）の場合に６″／１′、設定水位「中」（ステップＳ４２３）の場合に４″／１′、設定水位「低」（ステップＳ４３３）の場合に２″／１′である。
【００５２】
最終すすぎ工程が終了すると、制御装置１６は、ステップＳ４Ｘ４へ移行し、図８のステップＳ３Ｘ３と同様に、排水弁２３１を開放して、水槽１９内のすすぎ水を排水する。その後、制御装置１６は、ステップＳ４Ｘ５へ移行し、最終脱水工程を実行する。最終脱水工程において、制御装置１６は、標準仕様に比べて、脱水回転速度を低速にするとともに、設定水位に応じて脱水時間を短くする。すなわち、香り付け仕様において、最終脱水工程の脱水回転数は、設定水位「高」（ステップＳ４１５）、「中」（ステップＳ４２５）、「低」（ステップＳ４３５）のいずれの場合も８００［ｒｐｍ］であり、標準仕様における９００［ｒｐｍ］よりも低速である。また、香り付け仕様において、最終脱水工程の脱水時間は、設定水位「高」（ステップＳ４１５）の場合に７′００″、設定水位「中」（ステップＳ４２５）の場合に５′３０″、設定水位「低」（ステップＳ４３５）の場合に４′３０″である。そして、制御装置１６は、最終脱水工程が終了すると（図８のリターン）、洗濯運転を終了する（図７の終了）。
【００５３】
これによれば、洗濯乾燥機１０は、自動運転について、メーカーが推奨する標準的な仕様で運転する標準コースと、仕上げ剤による香り付けを重視した仕様で運転する香り付けコースとを備えている。そして、制御装置１６は、自動運転について、標準コースと香り付けコースとを選択的に実行可能である。すなわち、ユーザは、自動運転について、標準コースと香り付けコースとを任意に選択することができる。したがって、ユーザは、自動運転について香り付けコースを選択することにより、容易に洗濯物に好みの香りを付けることができる。その結果、ユーザは、仕上げ剤の香り効果をより強く実感することができる。
【００５４】
この場合、制御装置１６は、香り付け仕様（香り付けコース）における最終すすぎ工程（ステップＳ４Ｘ２）を、標準仕様（標準コース）における最終すすぎ工程（ステップＳ３Ｘ２）よりも長時間行う。つまり、最終すすぎ工程において、香り付け仕様（香り付けコース）のすすぎ時間は、標準仕様（標準コース）のすすぎ時間よりも長時間である。これによれば、香り付けコースの最終すすぎ工程において、洗濯物に対する仕上げ剤の浸透時間を、標準コースの場合に比べてより長く確保することができる。そのため、香り付けコースにおいては、標準コースに比べて、洗濯物に仕上げ剤を十分に付着させることができ、その結果、仕上げ剤の香り効果をより高く発揮させることができる。
【００５５】
最終すすぎ工程（ステップＳ３Ｘ２、Ｓ４Ｘ３）におけるすすぎ水位は、標準仕様（標準コース）に比べて香り付け仕様（香り付けコース）の方が低水位である。これによれば、香り付けコースの最終すすぎ工程において、仕上げ剤の濃度を、標準コースに比べて高めることができる。そのため、香り付けコースにおいては、標準コースに比べて、洗濯物に仕上げ剤を十分に付着させることができ、その結果、仕上げ剤の香り効果をより高く発揮させることができる。
【００５６】
最終脱水工程（ステップＳ３Ｘ４、Ｓ４Ｘ５）における回転槽１８の脱水回転速度は、標準仕様（標準コース）に比べて香り付け仕様（香り付けコース）の方が低速である。また、最終脱水工程（ステップＳ３Ｘ４、Ｓ４Ｘ５）における脱水時間は、標準仕様（標準コース）に比べて香り付け仕様（香り付けコース）の方が短時間である。これらによれば、香り付けコースが選択された場合、最終脱水工程において、仕上げ剤を含んだ水が洗濯物から必要以上に排出されることを抑制することができる。したがって、香り付けコースにおいては、標準コースに比べて、洗濯物に仕上げ剤を十分に残留させることができ、その結果、仕上げ剤の香り効果をより高く発揮させることができる。
【００５７】
最終すすぎ工程（ステップＳ３Ｘ２、Ｓ４Ｘ３）における仕上げ剤投入水位は、標準仕様（標準コース）に比べて香り付け仕様（香り付けコース）の方が低水位である。これによれば、香り付けコースが選択された場合には、最終すすぎ工程において、標準コースより低い水位から仕上げ剤を投入することで、より効率的に仕上げ剤を洗濯物に浸透させることができる。その結果、仕上げ剤の香り効果をより高く発揮することができる。
【００５８】
最終すすぎ前脱水工程（ステップＳ３Ｘ１、Ｓ４Ｘ１）における回転槽１８の脱水回転速度は、標準仕様（標準コース）に比べて香り付け仕様（香り付けコース）の方が高速である。また、最終すすぎ前脱水工程（ステップＳ３Ｘ１、Ｓ４Ｘ１）における脱水時間は、標準仕様（標準コース）に比べて香り付け仕様（香り付けコース）の方が長時間である。これらによれば、香り付けコースが選択された場合には、最終すすぎ前脱水工程において洗濯物の脱水率を高めることができる。したがって、香り付けコースの場合には、標準コースの場合に比べて、最終すすぎ工程における洗濯物の吸水性を高めることができる。これにより、最終すすぎ工程において、洗濯物により多くの仕上げ剤を浸透させることができ、その結果、仕上げ剤の香り効果をより高く発揮することができる。
【００５９】
洗濯乾燥機１０は、香り付けコースにおける最終すすぎ工程（ステップＳ４Ｘ３）以前に回転槽１８内の洗濯物を加温する加温手段として、温風供給装置５０を備えている。すなわち、制御装置１６は、香り付けコースが選択された場合に、最終すすぎ工程（ステップＳ４Ｘ３）を実行する前に、温風供給工程（ステップＳ４Ｘ２）を実行し、温風供給装置５０を駆動させる。これにより、回転槽１８内へ温風を供給し、回転槽１８内の洗濯物を加温する。これによれば、最終すすぎ工程（ステップＳ４Ｘ３）前に、洗濯物を温めることで、最終すすぎ工程における仕上げ剤の化学反応を促進させることができる。その結果、仕上げ剤の香り効果をより高く発揮することができる。
【００６０】
この場合、洗濯乾燥機１０は、温風供給装置５０に換えて、最終すすぎ工程（ステップＳ４Ｘ３）において水槽１９内へ温水を供給する温水供給手段を備えていてもよい。すなわち、最終すすぎ工程（ステップＳ４Ｘ３）を温水で行ってもよい。これによれば、最終すすぎ工程（ステップＳ４Ｘ３）中に、洗濯物を温めることで、最終すすぎ工程における仕上げ剤の化学反応を促進させることができる。その結果、仕上げ剤の香り効果をより高く発揮することができる。
【００６１】
最終すすぎ工程（ステップＳ３Ｘ２、Ｓ４Ｘ３）における撹拌時間は、標準仕様（標準コース）に比べて香り付け仕様（香り付けコース）の方が短時間である。また、最終すすぎ工程（ステップＳ３Ｘ２、Ｓ４Ｘ３）における回転槽１８のすすぎ回転速度は、標準仕様（標準コース）に比べて香り付け仕様（香り付けコース）の方が低速である。これらによれば、香り付けコースの実行によって最終すすぎ工程のすすぎ時間を長くした場合に、撹拌による洗濯物の傷みを低減することができ、また、浸け置きの効果が得られる。さらに、香り付けコースの実行によって最終すすぎ工程の時間を長くした場合であっても、モータ２１１の負荷の増大を抑制することができる。
【００６２】
（第２実施形態）
次に、第２実施形態について図１０〜図１３を参照して説明する。
第１実施形態において、洗濯乾燥機１０は、自動運転として、仕上げ剤による香り付けを重視した「香り付け」コースを備えていた。これによれば、ユーザは、例えば「洗濯」運転において、「香り付け」コースを選択することにより、香り効果を重視した洗濯運転を行うことができる。一方、第２実施形態においては、例えば「念入り」コースや「毛布」コースなど「香り付け」コース以外のコースについて、「香りレベル」を設定することにより、仕上げ剤による香り効果をより効果的に発揮させる運転を行う。
【００６３】
第２実形態において、洗濯乾燥機１０は、香り付け仕様について２以上の香りレベルを備えている。すなわち、洗濯乾燥機１０は、図１１に示すように、香り付け仕様について、「強」、「弱」の２段階の香りレベルを備えている。香りレベル「強」は、標準仕様に対して、仕上げ剤による香り効果をより高く発揮させる仕様である。香りレベル「弱」は、標準仕様よりは香り効果が高いが、香りレベル「強」よりは香り効果を抑えた仕様である。
【００６４】
図１０に示すように、操作パネル１３には、「香りレベル」キー６５が設けられている。ユーザは、自動運転について、「標準」コース、「念入り」コース等、任意のコースを選択した後、「香りレベル」キー６５を操作する。すると、「香りレベル」キー６５の操作回数に応じて、香りレベルを表示する表示部である「強」表示部６６１及び「弱」表示部６６２の点灯が切り替わる。「強」表示部６６１が点灯している場合は、香りレベル「強」が選択され、「弱」表示部６６２が点灯している場合は、香りレベル「弱」が選択されている。また、「強」表示部６６１及び「弱」表示部６６２ともに点灯していない場合は、香りレベルは選択されていない。この場合、「香りレベル」キー６５は、２以上のレベルで構成された「香りレベル」を変更する変更手段として機能する。
【００６５】
ユーザは、洗濯乾燥機１０の電源を投入し（電源入り）、自動運転、コース、そして「香りレベル」を設定した後、「スタート」キー６４を操作する。制御装置１６は、図１２に示すように、「スタート」キー６４が操作されると、第１実施形態と同様に、ステップＳ１１〜ステップＳ１９を実行する。その後、制御装置１６は、ステップＳ５０において、「香りレベル」が設定されているか否か判断する。「香りレベル」が設定されていない場合（ステップＳ５０でＮＯ）、制御装置１６は、ステップＳ５１へ移行する。そして、制御装置１６は、現在設定されている自動運転のコースについての各工程を、図１１に示す標準仕様で実行する。例えば、現在設定されている自動運転及びコースが、「洗濯」運転の「標準」コースである場合、その工程内容は、上記第１実施形態の図８に示す「標準」コースと同一となる。
【００６６】
一方、制御装置１６は、図１２に示すように、ステップＳ５０において、「香りレベル」が設定されていると判断すると（ＹＥＳ）、ステップＳ５２へ移行する。そして、制御装置１６は、図１１に示す「香り付け仕様」の「強」又は「弱」の設定内容に基づいて、図１３に示す各工程を実行する。
【００６７】
ここで、香りレベルの「強」、「弱」は、図１１に示すように、標準仕様における各設定水位「高」、「中」、「低」のそれぞれに対して設定されている。しかし、設定水位が「高」、「中」、「低」のいずれの場合、及び香りレベルが「強」又は「弱」のいずれの場合であっても、基本的な動作は同一である。そのため、各設定水位における差違点についての説明は省略する。また、各香りレベルにおける各工程を並行して説明するとともに、各香りレベルにおいて説明が共通する場合は、ステップ番号Ｓを、例えばステップＳ５ＸＹ１のように共通にして示す。この場合、香りレベルが「強」であればＹ＝１となり、香りレベルが「弱」であればＹ＝２となる。なお、設定水位が「高」である場合にはＸ＝１、「中」である場合はＸ＝２、「低」である場合はＸ＝３である点は、上記第１実施形態と同様である。
【００６８】
制御装置１６は、ステップＳ５０において、香りレベルが「強」であると判断すると、ステップＳ５Ｘ１１〜Ｓ５Ｘ１５を実行し、香りレベルが「弱」であると判断すると、ステップＳ５Ｘ２１〜Ｓ５Ｘ２５を実行する。
制御装置１６は、ステップＳ５ＸＹ１において、第１実施形態の図９に示すステップＳ４Ｘ１と同様に、最終すすぎ前脱水工程を実行する。この最終すすぎ前脱水工程において、制御装置１６は、図１１に示すように、標準仕様の各設定水位における設定値に対し、香りレベルの「強」、「弱」に応じて一律に、回転槽１８の脱水回転速度を増大させるとともに脱水時間を長くする。この場合、脱水回転速度は、香りレベルが「弱」の場合よりも、香りレベルが「強」の場合の方が高速である。また、脱水時間は、香りレベルが「弱」の場合よりも、香りレベルが「強」の場合の方が長時間である。
【００６９】
すなわち、最終すすぎ前脱水工程において、脱水回転速度は、香りレベルが「強」（ステップＳ５Ｘ１１）の場合、標準仕様＋１００［ｒｐｍ］であり、香りレベルが「弱」（ステップＳ５Ｘ２１）の場合、標準仕様＋５０［ｒｐｍ］である。また、最終すすぎ前脱水工程において、脱水時間は、香りレベルが「強」（ステップＳ５Ｘ１１）の場合、標準仕様＋２′００″であり、香りレベルが「弱」（ステップＳ５Ｘ２１）の場合、標準仕様＋１′００″である。
【００７０】
次に、制御装置１６は、ステップＳ５ＸＹ２において、第１実施形態の図９に示すステップＳ４Ｘ２と同様に、温風供給工程を実行する。この温風供給工程において、制御装置１６は、図１１に示すように、標準仕様の各設定水位における設定値に対し、香りレベルの「強」、「弱」に応じて一律に、温風供給工程の運転時間を長くする。この温風供給工程の運転時間は、香りレベルが「強」（ステップＳ５Ｘ１２）の場合、標準仕様＋１０′００″であり、香りレベルが「弱」（ステップＳ５Ｘ２２）の場合、標準仕様＋６′００″である。この場合、標準仕様において温風供給工程は実行されないため、標準仕様＝０′００″である。
【００７１】
次に、制御装置１６は、ステップＳ５ＸＹ３において、第１実施形態の図９に示すステップＳ４Ｘ３と同様に、最終すすぎ工程を実行する。この最終すすぎ工程において、制御装置１６は、図１１に示すように、標準仕様の各設定水位における設定値に対し、香りレベルの「強」、「弱」に応じて一律に、すすぎ水位及び仕上げ剤投入水位を低くし、すすぎ時間を長くし、すすぎ回転速度を低速にし、撹拌時間を短くする。この場合、すすぎ水位及び仕上げ剤投入水位は、香りレベルが「弱」の場合よりも、香りレベルが「強」の場合の方が低い。すすぎ回転速度は、香りレベルが「弱」の場合よりも、香りレベルが「強」の場合の方が低速となる。撹拌時間は、香りレベルが「弱」の場合よりも、香りレベルが「強」の場合の方が短い。
【００７２】
すなわち、最終すすぎ工程において、すすぎ水位は、香りレベルが「強」（ステップＳ５Ｘ１３）の場合、標準仕様−７［Ｌ］であり、香りレベルが「弱」（ステップＳ５Ｘ２３）の場合、標準仕様−５［Ｌ］である。また、最終すすぎ工程において、仕上げ剤投入水位は、香りレベルが「強」（ステップＳ５Ｘ１３）の場合、標準仕様−１５［Ｌ］であり、香りレベルが「弱」（ステップＳ５Ｘ２３）の場合、標準仕様−１０［Ｌ］である。また、最終すすぎ工程において、すすぎ時間は、香りレベルが「強」（ステップＳ５Ｘ１３）の場合、標準仕様＋８′００″であり、香りレベルが「弱」（ステップＳ５Ｘ２３）の場合、標準仕様＋５′００″である。
【００７３】
また、最終すすぎ工程において、すすぎ回転速度は、香りレベルが「強」（ステップＳ５Ｘ１３）の場合、標準仕様−２０［ｒｐｍ］であり、香りレベルが「弱」（ステップＳ５Ｘ２３）の場合、標準仕様−１０［ｒｐｍ］である。そして、最終すすぎ工程において、撹拌時間は、香りレベルが「強」（ステップＳ５Ｘ１３）の場合、（標準仕様−４″）／１′であり、香りレベルが「弱」（ステップＳ５Ｘ２３）の場合、（標準仕様−２″）／１′である。
【００７４】
次に、制御装置１６は、ステップＳ５ＸＹ４において、第１実施形態の図９に示すステップＳ４Ｘ４と同様に、排水を行う。その後、制御装置１６は、ステップＳ５ＸＹ５において、第１実施形態の図９に示すステップＳ４Ｘ５と同様に、最終脱水工程を実行する。この最終脱水工程において、制御装置１６は、図１１に示すように、標準仕様の各設定水位における設定値に対し、香りレベルの「強」、「弱」に応じて一律に、脱水回転速度を低速にし、脱水時間を短時間にする。この場合、脱水回転速度は、香りレベルが「弱」の場合よりも、香りレベルが「強」の場合の方が低速となる。また、脱水時間は、香りレベルが「弱」の場合よりも、香りレベルが「強」の場合の方が短時間となる。
【００７５】
すなわち、最終すすぎ工程において、脱水回転速度は、香りレベルが「強」（ステップＳ５Ｘ１５）の場合、標準仕様−１００［ｒｐｍ］であり、香りレベルが「弱」（ステップＳ５Ｘ２５）の場合、標準仕様−５０［ｒｐｍ］である。また、脱水時間は、香りレベルが「強」（ステップＳ５Ｘ１５）の場合、標準仕様−２′３０″であり、香りレベルが「弱」（ステップＳ５Ｘ２５）の場合、標準仕様＋２′００″である。
【００７６】
これによれば、上記第１実施形態と同様の作用効果が得られる。さらに、ユーザは、複数段階、この場合２段階ある香りレベルの中から、好みの香りレベルを選ぶことができる。そのため、よりユーザの好みに合った香りを洗濯物に付与することができる。また、例えば「念入り」コースや「毛布」コースなど「香り付け」コース以外のコースにおいても、容易に洗濯物に香りを付与することができる。
【００７７】
（第３実施形態）
次に、第３実施形態について図１４〜図１７を参照して説明する。
第１実施形態及び第２実施形態において、洗濯乾燥機１０は、給水手段及び投入手段として給水投入装置３０を備えていた。一方、第３実施形態において、洗濯乾燥機１０は、給水投入装置３０に換えて、給水手段として給水装置７１を備えるとともに、投入手段として投入装置７２を備えている。給水装置７１は、詳細は図示しないが、図４に示す給水投入装置３０のうち、仕上げ剤収容部３１２及び第２給水弁３５を備えないものである。そのため、第３実施形態において、洗濯乾燥機１０は、図１５に示すように第２給水弁３５を備えていない。
【００７８】
投入装置７２は、図１４に示すように、回転槽１８の内周側面に着脱可能に設けられている。投入装置７２は、投入装置７２内に収容した仕上げ剤を、脱水時の遠心力の作用によって水槽１９内へ投入するものである。この場合、投入装置７２は、脱水による遠心力が２回作用すると、投入装置７２内に収容した仕上げ剤を、水槽１９内へ投入する。
【００７９】
具体的には、投入装置７２は、図１６に示すように、全体として回転槽１８の内周側面に沿って扁平した容器状に構成されている。この場合、図１６の紙面に対し、右手前側が回転槽１８の回転中心方向となり、左奥側が回転槽１８の遠心方向となる。投入装置７２の内部は、第１室７２１、第２室７２２、及び第３室７２３に仕切られている。第１室７２１は、投入装置７２における回転中心側の上部に設けられている。第２室７２２は、投入装置７２の上部にあって、第１室７２１に対して遠心側に設けられている。第３室７２３は、第１室７２１に対して周方向に隣接し、第２室７２２に対して中心側に設けられている。第３室７２３は、投入装置７２の上下方向の全体に亘って設けられている。すなわち、第３室７２３の底部は、第１室７２１及び第２室７２２の底部よりも低位置にある。
【００８０】
第１室７２１と第２室７２２とを仕切る壁部には、連通部７２４が形成されている。第１室７２１と第２室７２２とは、この連通部７２４によって連通している。また、第２室７２２と第３室７２３とは、連通路７２５によって連通している。第３室７２３の遠心方向の壁部には投入口７２６が設けられている。投入口７２６は、水槽１９内へ繋がっている。
【００８１】
ユーザは、洗濯乾燥機１０の運転を開始する前に、図１７の（ａ）に示すように、投入装置７２の第１室７２１に仕上げ剤９０を投入する。その後、例えば図７のステップＳ１７に示す第１脱水工程すなわち当該運転における最初の脱水工程が実行されると、第１室７２１内に収容された仕上げ剤９０は、図１７の（ｂ）に示すように、遠心力によって連通部７２４から第２室７２２へ移動する。その後、第１脱水工程が終了し、遠心力から解放されると、第２室７２２にある仕上げ剤は、図１７の（ｃ）に示すように、連通路７２５を通って第３室７２３へ落下する。その後、例えば図８のステップＳ３Ｘ１又は図９のステップＳ４Ｘ１における最終すすぎ前脱水工程、すなわち当該運転における２回目の脱水工程が実行されると、第３室７２３内に収容された仕上げ剤は、図１７の（ｄ）に示すように、遠心力によって投入口７２６から水槽１９内へ投入される。
この場合、制御装置１６は、脱水工程を実行する時期及び回数を制御することで、水槽１９内への仕上げ剤９０の投入時期を制御する。
これによれば、上記各実施形態と同様の作用効果が得られる。
【００８２】
（第４実施形態）
次に、第４実施形態について図１８〜図２１を参照して説明する。
第４実施形態において、制御装置１６は、香り付け運転コースを運転した後、又は香り付け仕様で各コースを運転した後に、洗浄工程を実行する。すなわち、制御装置１６は、香り付け運転コースを運転した場合、図１８に示すように、ステップＳ２３において洗浄工程を実行する。また、制御装置１６は、ある運転コースを香り付け仕様で運転した場合、例えば「洗濯」運転の「標準」コースについて香りレベルを設定して運転した場合、図１９に示すように、ステップＳ５３において洗浄工程を実行する。
【００８３】
洗浄工程では、回転槽１８、水槽１９、及び給水投入装置３０において仕上げ剤が通る経路、この場合、図４に示す仕上げ剤収容部３１２及び注水ホース３２が洗浄される。すなわち、第４実施形態において、洗濯乾燥機１０は、図２０に示すように、電子制御式の第３給水弁８１及び放水ノズル８２を備えている。第３給水弁８１は、図２１に示すように制御装置１６に電気的に接続され、制御装置１６からの制御を受けて開閉される。
【００８４】
第３給水弁８１は、図２０に示すように、給水ホース接続部３３から分岐して設けられている。放水ノズル８２は、第３給水弁８１の吐出側に接続され、水槽１９の上部から水槽カバー１９２を貫いて水槽１９の内部へ臨んでいる。第３給水弁８１が開放されると、水源からの水は、給水ホース接続部３３及び第３給水弁８１を通って、放水ノズル８２から水槽１９の内側へ放出される。放水ノズル８２から放水された水は、回転槽１８の外側面又は水槽１９の内側面へ降り注ぎ、回転槽１８の外側面又は水槽１９の内側面を伝って水槽１９の底部へ流れ落ちる。
【００８５】
また、洗濯乾燥機１０は、図１９に示すように、蓋開閉センサ８３が設けられている。蓋開閉センサ８３は、例えばリミットスイッチなどであって、図２１に示すように、制御装置１６に電気的に接続されている。制御装置１６は、蓋開閉センサ８３の検出結果に基づいて、蓋１４の開状態又は閉状態を判断する。
【００８６】
制御装置１６は、図１８のステップＳ２３又は図１９のステップＳ５３において洗浄工程を実行すると、図２２に示す制御内容を実行する。すると、制御装置１６は、まず、ステップＳ６１において、蓋開閉センサ８３の検出結果に基づいて蓋１４の開閉があったか否かを判断する。すなわち、制御装置１６は、洗濯運転が終了した後、蓋１４が開放され、その後閉鎖されたことを検出した場合（ステップＳ６１でＹＥＳ）、ユーザが蓋１４を開閉して回転槽１８内の洗濯物を取り出したと判断する。一方、制御装置１６は、蓋１４の開閉を検出しない場合（ＮＯ）、蓋１４の開閉が検出されるまでステップＳ６１を繰り返して待機する。
【００８７】
制御装置１６は、蓋１４の開閉を検出すると（ステップＳ６１でＹＥＳ）、ステップＳ６２へ移行し、「スタート」キー６４が操作されたか否かを判断する。制御装置１６は、「スタート」キー６４が操作されない場合（ステップＳ６２でＮＯ）、「スタート」キー６４が操作されるまでステップＳ６２を繰り返す。一方、制御装置１６は、「スタート」キー６４が操作されたことを検出すると（ステップＳ６２でＹＥＳ）、ステップＳ６３へ移行する。
【００８８】
制御装置１６は、ステップＳ６３において、第２給水弁３５を開放し、給水投入装置３０の仕上げ剤収容部３１２へ給水する。これにより、仕上げ剤収容部３１２の内部が洗浄される。また、仕上げ剤収容部３１２内へ供給された水は、注水ホース３２を通って回転槽１８内へ供給される。これにより、注水ホース３２及び回転槽１８の内側が洗浄される。さらに、制御装置１６は、ステップＳ６３において、第３給水弁８１を開放し、放水ノズル８２から放水する。これにより、回転槽１８の外側及び水槽１９の内側が洗浄される。また、このとき、制御装置１６は、モータ２１１を駆動させて、回転槽１８を回転させる。これにより、放水ノズル８２から放水された水は、回転槽１８の外周面に満遍なく注がれ、回転槽１８の外周面をより効率よく洗浄することができる。なお、制御装置１６は、第１給水弁３４を開放し、給水投入装置３０の洗剤収容部３１１を介して回転槽１８内へ注水し、これにより、回転槽１８の内側を洗浄してもよい。
【００８９】
この場合、第１給水弁３４及び第２給水弁３５は、回転槽１８の主に内側を洗浄する第１洗浄手段すなわち洗浄手段として機能する。第２給水弁は、投入手段である給水投入装置３０の仕上げ剤収容部３１２を洗浄する第２洗浄手段すなわち洗浄手段として機能する。第３給水弁８１及び放水ノズル８２は、回転槽１８の主に外側、及び水槽１９の内側を洗浄する第３洗浄手段すなわち洗浄手段として機能する。
【００９０】
その後、制御装置１６は、ステップＳ６４へ移行し、第２給水弁３５及び第３給水弁８１を開放してから、所定時間経過したか否かを判断する。未だ所定期間経過していない場合は（ステップＳ６４でＮＯ）、所定期間経過するまでステップＳ６４を繰り返す。その後、制御装置１６は、第２給水弁３５及び第３給水弁８１を開放してから所定期間経過した後（ステップＳ６４でＹＥＳ）、ステップＳ６５へ移行する。そして、制御装置１６は、ステップＳ６５において、第２給水弁３５及び第３給水弁８１を閉鎖するとともに、モータ２１１の駆動を停止する。以上により、洗浄工程を終了する。
【００９１】
これによれば、香りの強い仕上げ剤を使用した場合であっても、仕上げ剤による残り香を除去することができる。したがって、その後の運転の際に洗濯物に仕上げ剤の残り香が付着してしまうことを防ぐことができる。
【００９２】
また、香り付け仕様により運転した場合、低水位で最終すすぎ工程を行うため、そのすすぎ水に含まれる仕上げ剤の濃度は濃くなる。そのため、高濃度の仕上げ剤を含んだすすぎ水が、仕上げ剤収容部３１２、注水ホース３２、回転槽１８、及び水槽１９などに残っていると、そのすすぎ水が乾燥した際に、仕上げ剤が析出して固まるおそれがある。本実施形態においては、香り付け仕様による運転の後に、水道など外部の水源からの水つまり仕上げ剤を含まない水により、仕上げ剤収容部３１２、注水ホース３２、回転槽１８、及び水槽１９を洗浄する。そのため、香り付け仕様による運転によって、仕上げ剤収容部３１２、注水ホース３２、回転槽１８、及び水槽１９に残留した高濃度のすすぎ水は、洗浄工程によって洗い流される。その結果、香り付け仕様による運転をした場合であっても、仕上げ剤が析出し固まることが低減される。
【００９３】
洗濯乾燥機１０は、給水投入装置３０に換えて、図１４に示すような給水装置７１及び投入装置７２を別々に備えるものであってもよい。この場合、詳細は図示しないが、制御装置１６は、第１給水弁３４を開放して回転槽１８内へ注水し、これにより回転槽１８内を洗浄する。また、制御装置１６は、例えば回転センサ２７の検出結果等に基づいてモータ２１１を制御し、投入装置７２が注水ホース３２の出口の下方に位置するように回転槽１８を回転させる。これにより、注水ホース３２から吐出された水は、投入装置７２内へ注がれ、投入装置７２の内部が洗浄される。
【００９４】
上記各実施形態において、制御装置１６は、すすぎ工程を複数回、この場合、第１すすぎ工程と最終すすぎ工程との２回のすすぎ工程を実行しているが、これに限られない。すなわち、すすぎ工程は、少なくとも１回実行されればよい。この場合、当該１回目のすすぎ工程が最終すすぎ工程となる。
【００９５】
また、上記各実施形態において、制御装置１６は、最終すすぎ工程の以前に、脱水工程を複数回、この場合、第１脱水工程と最終すすぎ前脱水工程との２回の脱水工程を実行しているが、これに限られない。すなわち、最終すすぎ工程の以前に、脱水工程が少なくとも１回実行すればよい。この場合、当該１回目の脱水工程が最終すすぎ前脱水工程となる。
【００９６】
また、第３実施形態の投入装置７２を用いる場合、制御装置１６は、当該１回目の最終すすぎ前脱水工程において、脱水回転速度を変化させ、投入装置７２に対して２回以上の遠心力を作用させる。これにより、当該１回の最終すすぎ前脱水工程において、仕上げ剤を水槽１９内へ投入することができる。なお、投入装置７２は、１回の遠心力の作用によって仕上げ剤を水槽１９内へ投入するものでもよいし、３回以上の遠心力の作用によって仕上げ剤を水槽１９内へ投入するものでもよい。
【００９７】
上記各実施形態において、温風供給装置５０は、ヒータ方式のものとしたが、これに限られず、ヒートポンプ方式のものであってもよい。
上記各実施形態において、標準仕様及び香り付け仕様の設定内容は、図中及び文中に示した具体的内容に限られず、適宜変更することができる。
洗濯乾燥機１０は、縦軸型としたが、これに限られず、例えば横軸型のいわゆるドラム式洗濯乾燥機であってもよい。また、洗濯乾燥機１０は、乾燥機能を備えていなくてもよい。
【００９８】
以上、実施形態の洗濯機によれば、制御手段は、予め設定された内容ですすぎ工程及び脱水工程を行う標準仕様と、最終すすぎ工程を標準仕様よりも長時間行う香り付け仕様と、を選択的に実行可能である。そのため、ユーザは、容易に洗濯物に好みの香りを付与することができる。
【００９９】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変更は、発明の範囲や要旨に含まれるとともに、特許請求の範囲に記載された発明とその均等の範囲に含まれる。
【符号の説明】
【０１００】
図面中、１０は洗濯乾燥機（洗濯機）、１１は外箱、１６は制御装置（制御手段）、１８は回転槽、１９は水槽、３０は給水投入装置（給水手段、投入手段）、３４は第１給水弁（第１洗浄手段、洗浄手段）、３５は第２給水弁（第１洗浄手段、第２洗浄手段、洗浄手段）、５０は温風供給装置（加温手段）、６５は「香りレベル」キー（変更手段）、７１は給水装置（給水手段）、７２は投入装置（投入手段）、８１は第３給水弁（第３洗浄手段、洗浄手段）、８２は給水ノズル（第３洗浄手段、洗浄手段）を示す。
【図１】
2014212886.tif 000003
【図２】
2014212886.tif 000004
【図３】
2014212886.tif 000005
【図４】
2014212886.tif 000006
【図５】
2014212886.tif 000007
【図６】
2014212886.tif 000008
【図７】
2014212886.tif 000009
【図８】
2014212886.tif 000010
【図９】
2014212886.tif 000011
【図１０】
2014212886.tif 000012
【図１１】
2014212886.tif 000013
【図１２】
2014212886.tif 000014
【図１３】
2014212886.tif 000015
【図１４】
2014212886.tif 000016
【図１５】
2014212886.tif 000017
【図１６】
2014212886.tif 000018
【図１７】
2014212886.tif 000019
【図１８】
2014212886.tif 000020
【図１９】
2014212886.tif 000021
【図２０】
2014212886.tif 000022
【図２１】
2014212886.tif 000023
【図２２】
2014212886.tif 000024